(57)【特許請求の範囲】
【請求項１】
一対のイヤカップと、
前記一対のイヤカップを互いに交差する方向に向くように連結するヘッドバンドと、を備え、
前記ヘッドバンドは、前記一対のイヤカップを、該一対のイヤカップの間隔が頭部の後方側において頭部の前方側よりも狭くなるように支持する支持部材を含み、
前記支持部材は、前記イヤカップに向かって分岐して延びる前頭部側枝部と後頭部側枝部とを有するとともに、該前頭部側枝部及び該後頭部側枝部の端部において該イヤカップを支持し、
前記後頭部側枝部の端部が前記前頭部側枝部の端部よりも装着者側に配置されていることを特徴とするヘッドホン。
【請求項２】
前記一対のイヤカップの音放射面が成す角度は、１０°以上３０°以下であることを特徴とする請求項１に記載のヘッドホン。
【請求項３】
前記イヤカップは、前記ヘッドバンドに回動可能に連結されるとともに、頭部の前方から後方に向かう方向から前記ヘッドバンドの延在方向に傾斜した回動軸を有し、
前記回動軸は、頭部の後方側に向かうにしたがって前記ヘッドバンドから離れるように延びることを特徴とする請求項１又は２に記載のヘッドホン。
【請求項４】
前記回動軸は、頭部の前方から後方に向かう方向から前記ヘッドバンドの延在方向に５°以上２５°以下の傾斜を有していることを特徴とする請求項３に記載のヘッドホン。
【請求項５】
前記前頭部側枝部は、前記後頭部側枝部よりも装着者の反対側に向かって凸に大きく湾曲していることを特徴とする請求項１〜４のいずれか１項に記載のヘッドホン。
【請求項６】
前記ヘッドバンドは、頭部に装着される装着部を備え、
前記前頭部側枝部と前記後頭部側枝部との中間部が、頭部の前方から後方に向かう方向
における前記装着部の中央部よりも頭部の後方側に配置されることを特徴とする請求項１〜５のいずれか１項に記載のヘッドホン。
【請求項７】
前記前頭部側枝部及び前記後頭部側枝部が金属部材で形成されていることを特徴とする請求項１〜６のいずれか１項に記載のヘッドホン。
【請求項８】
前記後頭部側枝部は、装着者から離れる方向に張り出したねじれを有することを特徴とする請求項１〜７のいずれか１項に記載のヘッドホン。
【発明の詳細な説明】
【技術分野】
【０００１】
本発明は、ヘッドホンに関する。
【背景技術】
【０００２】
従来、一対のヘッドホンユニット（イヤカップ）がヘッドバンドの延在方向（即ち、上下方向）に沿った回動軸を有して回動可能に構成されたヘッドホンが提案されている（例えば、特許文献１参照）。特許文献１に記載された従来のヘッドホンを装着すると、一対のヘッドホンユニットが耳に沿うように回動することで音放射面が傾斜し、頭部の前方側の間隔が頭部の後方側の間隔よりも狭くなる。
【先行技術文献】
【特許文献】
【０００３】
【特許文献１】特開２０１１−５５１７７号公報
【発明の概要】
【発明が解決しようとする課題】
【０００４】
しかしながら、耳の形状や大きさは個人差が大きいため、特許文献１に記載された従来のヘッドホンのようにヘッドホンユニットを耳に合わせて回動させる構成では、個人差に対応しつつ密着性を向上させることは困難であり、遮音性が低下してしまう可能性がある。また、ヘッドホンユニットを回動させる機構を設けなければならず、構成が複雑化してしまう。
【０００５】
したがって、本発明の課題は、簡単な構成で遮音性を向上させることができるヘッドホンを提供することが一例として挙げられる。
【課題を解決するための手段】
【０００６】
前述した課題を解決し目的を達成するために、請求項１に記載の本発明のヘッドホンは、一対のイヤカップと、前記一対のイヤカップを互いに交差する方向に向くように連結するヘッドバンドと、を備え、前記ヘッドバンドは、該一対のイヤカップの間隔が、頭部の後方側において頭部の前方側よりも狭くなるように支持する支持部材を含み、前記支持部材は、前記イヤカップに向かって分岐して延びる前頭部側枝部と後頭部側枝部とを有するとともに、該前頭部側枝部及び該後頭部側枝部の端部において該イヤカップを支持し、前記後頭部側枝部の端部が前記前頭部側枝部の端部よりも装着者側に配置されていることを特徴としている。
【図面の簡単な説明】
【０００７】
【図１】本発明の実施例に係るヘッドホン全体を示す斜視図である。
【図２】前記ヘッドホンのイヤカップを示す分解斜視図である。
【図３】（Ａ）前記ヘッドホンのヘッドバンドの支持部材を示す斜視図である。（Ｂ）該支持部材を示す上面図である。
【図４】前記ヘッドホンの各部の位置関係を示す斜視図である。
【図５】前記ヘッドホンが頭部に装着された際の前記イヤカップを示す模式図である。
【図６】前記イヤカップを示す側面図である。
【発明を実施するための形態】
【０００８】
以下、本発明の実施形態を説明する。本発明の実施形態に係るヘッドホンは、一対のイヤカップと、前記一対のイヤカップを互いに交差する方向に向くように連結するヘッドバンドと、を備え、前記一対のイヤカップの間隔が、頭部の後方側において頭部の前方側よりも狭くなっていることを特徴とする。
【０００９】
一対のイヤカップの間隔が頭部の後方側において頭部の前方側よりも狭くなっていることで、イヤカップの音放射面（耳当て部における側頭部への当接面）を装着者の頭部の形状に合わせるようにヘッドホンを装着することができる。尚、「頭部」は、装着者の頭部を意味する。このとき、一対のイヤカップの頭部の後方側の間隔を狭くするためには、音放射面を傾斜させてイヤカップを配置すればよく、簡単な構成とすることができる。さらに、耳周辺の側頭部の形状は比較的個人差が小さいため、このように音放射面を傾斜させる構成によって個人差に対応することができ、密着性を向上させて遮音性を向上させることができる。
【００１０】
一対のイヤカップの音放射面が成す角度は、１０°以上３０°以下であることが好ましい。それにより、イヤカップを装着者の側頭部により密着させることができ、遮音性を向上させることができる。
【００１１】
イヤカップは、ヘッドバンドに回動可能に連結されるとともに、頭部の前方から後方に向かう方向からヘッドバンドの延在方向に傾斜した回動軸を有し、回動軸は、頭部の後方側に向かうにしたがって前記ヘッドバンドから離れるように延びることが好ましい。それにより、頭部の幅（左右方向寸法）が前方側且つ上方から後方側且つ下方に向かうにしたがって狭くなっているのに対し、このような頭部の傾斜に合わせてイヤカップの回動軸を後下がりに傾斜させることで、音放射面のうち回動軸に沿った部分を側頭部に密着させつつイヤカップを回動させることできる。イヤカップが回動可能に設けられることにより、頭部の形状や大きさの個人差に対応しやすくすることができる。
【００１２】
回動軸は、頭部の前方から後方に向かう方向からヘッドバンドの延在方向に５°以上２５°以下の傾斜を有していることが好ましい。それにより、イヤカップを装着者の側頭部により密着させやすくすることができる。
【００１３】
ヘッドバンドは、イヤカップに向かって分岐して延びる前頭部側枝部と後頭部側枝部とを有するとともに、前頭部側枝部及び後頭部側枝部の端部においてイヤカップを支持し、後頭部側枝部の端部が前頭部側枝部の端部よりも装着者側に配置されていることが好ましい。それにより、後頭部側枝部の端部が前頭部側枝部の端部よりも装着者側に配置されていることで、これらの枝部によって頭部の前方側よりも頭部の後方側において間隔が狭くなるようにイヤカップを支持することができるとともに、このような間隔を維持することができる。
【００１４】
前頭部側枝部は、後頭部側枝部よりも装着者の反対側に向かって凸に大きく湾曲していることが好ましい。それにより、前頭部側枝部によって側頭部に加える圧力を高くすることができる。頭部の後方側において一対のイヤカップの間隔を狭くする構成では、イヤカップによって側頭部に加える圧力が前方側で低くなりやすく、前頭部側枝部によって側頭部に加える圧力を高くすることで、イヤカップ全体の密着性を向上させることができる。
【００１５】
ヘッドバンドは、頭部に装着される装着部を備え、前頭部側枝部と後頭部側枝部との中間部が、頭部の前方から後方に向かう方向における装着部の中央部よりも後方側に配置されることが好ましい。それにより、２つの枝部によってイヤカップを装着部に対して頭部の後方側に支持することができる。耳は側頭部において中央部よりも後方側に位置することから、装着部を頭部の前方から後方に向かう方向の中央部に装着した際に、イヤカップを耳の位置に合わせやすくすることができる。
【００１６】
前頭部側枝部及び後頭部側枝部が金属部材で形成されていることが好ましい。それにより、各枝部を複雑な形状にすることができ、例えば曲部やねじれ部等を形成することによって、イヤカップの音放射面や回動軸の向きを適宜に設定することができる。
【００１７】
後頭部側枝部は、装着者から離れる方向に張り出したねじれを有することが好ましい。また、ヘッドバンドは、前頭部側枝部と後頭部側枝部とが分岐する分岐部を備え、後頭部側枝部は、分岐部に連続して頭部の後方側に延びる第１面部と、第１面部に連続してヘッドバンドの延在方向に沿って後頭部側枝部の端部に向かって延びる第２面部と、を有し、第１面部は、頭部の後方側に向かうにしたがって端部側の部分が装着者に近づくとともに端部と反対側の部分が装着者から離れるように、ねじれを有して延びることが好ましい。
【００１８】
それにより、頭部の後方側（第２面部側）に向かうにしたがって端部側の部分が装着者に近づくようなねじれを第１面部が有していることで、第２面部全体が、端部に向かうにしたがって装着者に近づく傾斜を有する。したがって、後頭部側枝部の端部を装着者に近づけようとする場合に、第２面部を装着者の反対側に向かって凸に小さく湾曲させたり、或いは、平坦な面にしたりすることができる。このように第２面部の湾曲を小さくしたり第２面部を平坦な形状にしたりすることで、前頭部側枝部によって側頭部に加える圧力に対して、後頭部側枝部によって側頭部に加える圧力を相対的に小さくすることができ、前述のようにイヤカップ全体の密着性を向上させることができる。
【実施例】
【００１９】
以下、本発明の実施例について具体的に説明する。図１は、本発明の実施例に係るヘッドホン１全体を示す斜視図であり、図２は、ヘッドホン１のイヤカップ２Ａを示す分解斜視図であり、図３は、ヘッドホン１のヘッドバンド３の支持部材３２を示す斜視図及び上面図であり、図４は、ヘッドホン１の各部の位置関係を示す斜視図であり、図５は、ヘッドホン１が頭部Ｈに装着された際のイヤカップ２Ａ、２Ｂを示す模式図であり、図６は、イヤカップ２Ａを示す側面図である。本実施形態では、装着者の頭部Ｈの前方側を単に「前方側」と呼ぶとともに頭部Ｈの後方側を単に「後方側」と呼び、頭部Ｈの前方側から後方側に向かう方向を単に「前後方向」と呼ぶ。
【００２０】
ヘッドホン１は、左右一対のイヤカップ２Ａ、２Ｂと、一対のイヤカップ２Ａ、２Ｂを連結するヘッドバンド３と、一対のイヤカップ２Ａ、２Ｂ間に亘って設けられるコード部４と、回動部材５と、を備え、イヤカップ２Ａ、２Ｂの近傍におけるヘッドバンド３の延在方向が上下方向に沿うように装着者によって装着される。
【００２１】
左耳用のイヤカップ２Ａと右耳用のイヤカップ２Ｂとは、左右略対称な形状を有するとともに略同一の構成を有しており、本実施形態では左耳用のイヤカップ２Ａについて説明する。イヤカップ２Ａは、図２に示すように、クッション２１と、図示しないスピーカユニットと、スピーカユニットを収容するハウジング２２と、備える。また、左耳用のイヤカップ２Ａには、スピーカユニットに信号を送信するコード部６が接続され、この信号がコード部４を介して右耳用のイヤカップ２Ｂのスピーカユニットに送信される。
【００２２】
クッション２１は、スポンジ等のクッション部材が合成皮革等の被覆部材で覆われて円環状に形成され、ハウジング２２の装着者側に取り付けられる。クッション２１のうち装着者に当接する面（図２における左奥の面）が音放射面Ｓ１となる。
【００２３】
ハウジング２２は、ハウジング本体２２１と、ハウジング本体２２１に装着者側から固定される図示しない内側蓋部と、ハウジング本体２２１に装着者の反対側から固定される外側蓋部２２２と、外側蓋部２２２を覆うカバー部２２３と、を備える。
【００２４】
ハウジング本体２２１は、例えば樹脂によって全体が一体に形成され、装着者の耳や側頭部と略平行になる円盤状の外面部２２１ａと、外面部２２１ａの外周に沿って装着者側に立設された内側立設壁２２１ｂと、外面部２２１ａから装着者の反対側に立設された外側立設壁２２１ｃと、外側蓋部２２２を固定するための固定部２２１ｄと、外側立設壁２２１ｃの内側において外面部２２１ａから装着者の反対側に立設された連結用立設部２２１ｅと、を有する。
【００２５】
外側立設壁２２１ｃは、ヘッドバンド３の延在方向に対向する側壁と前後方向に対向する側壁との計４つの側壁を有し、側面視、上下に長い長方形状に形成され、連結用立設部２２１ｅを囲むように設けられる。
【００２６】
連結用立設部２２１ｅは、外面部２２１ａの略中央部に形成され、その左右に回動部材５を収容する凹部２２１ｆを有する。
【００２７】
外側蓋部２２２は、例えば樹脂によって板状に形成され、固定部２２１ｄに固定するためのビス７が挿通される挿通孔２２２ａと、連結用立設部２２１ｅの凹部２２１ｆとの間に回動部材５を挟み込む挟持部２２２ｂと、を有する。
【００２８】
カバー部２２３は、例えば樹脂によって板状に形成され、その表面に適宜な意匠が形成されるとともに接着剤や両面テープ等によって外側蓋部２２２を覆うように固定される。
【００２９】
イヤカップ２Ａのスピーカユニットは、外面部２２１ａと内側立設壁２２１ｂとによって囲まれた空間において、装着者側（クッション２１側）を前方側として音を放射するように収容される。
【００３０】
ヘッドバンド３は、頭部に装着される装着部３１と、一対のイヤカップ２Ａ、２Ｂを支持する支持部材３２と、装着部３１と支持部材３２とを連結する連結部３３と、を備える。
【００３１】
装着部３１は、装着者の頭部から離隔して装着される装着部本体３１１と、頭部に当接する当接バンド部３１２と、を備える。
【００３２】
装着部本体３１１は、例えばアルミニウムやステンレス等の金属部材によって正面視円弧状に形成されるとともに前後に対向する前方側部材３１１Ａと後方側部材３１１Ｂとを有し、装着者の頭部の大きさに合わせて撓み変形可能に構成されている。撓み変形した装着部本体３１１の復元力によって、イヤカップ２Ａ、２Ｂが側頭部に圧力を加えるようになっている。
【００３３】
当接バンド部３１２は、例えば平らなゴム部材が人工皮革等の表面部材の内側に挿通されて構成されるとともに、ゴム部材が連結部３３に固定されることで、頭部の大きさに合わせて表面部材がヘッドバンド本体に近づくようにゴム部材が弾性変形することができる。また、表面部材の内側には左右のイヤカップ２Ａ、２Ｂのスピーカユニットを接続するコード部４が挿通される。
【００３４】
支持部材３２は、例えばアルミニウムやステンレス等の板状の金属部材を打ち抜き加工及び曲げ加工することによって形成され、図１〜３に示すように、装着部本体３１１の前方側部材３１１Ａの延長線上に延びる前方側上端部３２１Ａと、後方側部材３１１Ｂの延長線上に延びる後方側上端部３２１Ｂと、前方側上端部３２１Ａと後方側上端部３２１Ｂとの間に延びる分岐部３２２と、分岐部３２２から二股に延びる前頭部側枝部３２３及び後頭部側枝部３２４と、連結部３３に固定される固定部３２０と、を備える。
【００３５】
前頭部側枝部３２３は、前方側上端部３２１Ａの延長線上、即ち、装着部本体３１１の前方側部材３１１Ａの延長線上においてヘッドバンドの延在方向に沿って延びるとともに、図３（Ａ）に示すように、装着者の反対側に向かって凸に湾曲している。
【００３６】
後頭部側枝部３２４は、分岐部３２２に連続して後方側に延びる第１面部３２４Ａと、第１面部３２４Ａに連続してヘッドバンドの延在方向に沿って先端部３２４ａに向かって延びる第２面部３２４Ｂと、を有する。第１面部３２４Ａは、後方側上端部３２１Ｂよりも後方側に延びるととともに、支持部材３２の上方視図である図３（Ｂ）に示すように、後方側に向かうにしたがって先端部３２４ａ側にある第１面部３２４Ａの一部分が装着者に近づくとともに先端部３２４ａの反対側にある第１面部３２４Ａの他の部分が装着者から離れるようなねじれを有している。即ち、支持部材３２を上方視した際に、第１面部３２４Ａは、分岐部３２２近傍においては端面３２Ａのみが見え、後方側に延びるにしたがって裏面３２Ｂ（装着者側の面）が徐々に見えるようになっていく。即ち、後頭部側枝部３２４は、装着者又は装着者の頭部Ｈから離れる方向に張り出したねじれの形状を有する。一方、第２面部３２４Ｂは、図３（Ａ）に示すように、後方側上端部３２１Ｂに対して全体が傾斜し、先端部３２４ａに向かうにしたがって装着者に近づくように延びるとともに、装着者の反対側に向かってわずかに凸に湾曲している。
【００３７】
以上のような前頭部側枝部３２３と後頭部側枝部３２４との関係の詳細について説明する。まず、後頭部側枝部３２４の先端部３２４ａは、図３（Ｂ）に示すように、前頭部側枝部３２３の先端部３２３ａよりも装着者側に位置し、一対のイヤカップ２Ａ、２Ｂが後方側において前方側よりも間隔が狭くなるように支持されるようになっている。また、前頭部側枝部３２３は、図３（Ａ）に示すように、後頭部側枝部３２４の第２面部３２４Ｂよりも大きな曲率を有して湾曲している（即ち、大きく湾曲している）。さらに、第２面部３２４Ｂが後方側上端部３２１Ｂよりも後方側に位置しており、前頭部側枝部３２３と後頭部側枝部３２４との中間部が、前後方向における装着部３１の中央部（前方側部材３１１Ａと後方側部材３１１Ｂとの中間部）よりも後方側に配置され、装着部３１に対してイヤカップ２Ａ、２Ｂが後方側に支持されるようになっている。また、前頭部側枝部３２３と後頭部側枝部３２４とは、図６に示すように、ヘッドバンド３から離れるにしたがって前方側に向かうように、装着部本体３１１及び上端部３２１Ａ、３２１Ｂに対して傾斜し、互いに略平行に延びている。後頭部側枝部３２４の先端部３２４ａは、前頭部側枝部３２３の先端部３２３ａよりもヘッドバンド３から離れた位置に配置される。尚、曲率が大きいとは、曲率半径が小さいことを意味する。また、各枝部における曲率半径は、枝部が延在方向に延びるにしたがって変化してもよく、変化する場合には曲率半径の平均値を比較すればよい。
【００３８】
回動部材５は、例えば樹脂によって全体が一体に形成され、図２に示すように、支持部材３２の枝部３２３、３２４の先端部３２３ａ、３２４ａを係止する係止溝５１を有する。
【００３９】
次に、支持部材３２によるイヤカップ２Ａの支持方法及び支持構造について説明する。まず、２つの回動部材５の係止溝５１によって枝部３２３、３２４の先端部３２３ａ、３２４ａをそれぞれ係止する。これらの回動部材５を凹部２２１ｆに収容し、外側蓋部２２２をハウジング本体２２１に固定することで、凹部２２１ｆと挟持部２２２ｂとによって回動部材５が回動可能に挟持される。即ち、先端部３２３ａ、３２４ａの対向方向を回動軸Ａ１として、イヤカップ２Ａが支持部材３２に対して回動可能に支持される。尚、各枝部３２３、３２４によるイヤカップ２Ａの支持位置は、先端部３２３ａ、３２４ａに限定されず、先端部３２３ａ、３２４ａから多少離れた端部であってもよい。
【００４０】
次に、ヘッドホン１の各部の位置関係及び寸法について説明する。
【００４１】
まず、装着者がヘッドホン１を装着する前の状態では、イヤカップ２Ａ、２Ｂは、ヘッドバンド３によって互いに交差する方向に向けられている（即ち、音放射方向が互いに交差する方向に向けられている）。この一対のイヤカップ２Ａ、２Ｂの間隔、即ち、音放射面Ｓ１間の間隔は、図４に示すように、後方側の間隔Ｌ１が前方側の間隔Ｌ２よりも狭くなっている。ヘッドホン１を頭部Ｈに装着した様子を上方視した模式図である図５に示すように、音放射面Ｓ１の延長面は角度θ１を成して交差する。この角度θ１は、頭部Ｈの形状に応じた角度（例えば、１０°以上３０°以下）に設定される。尚、角度θ１は、非装着時において略一定に保たれる。また、角度θ１が装着時と非装着時とで略一定に保たれるように、イヤカップ２Ａ、２Ｂがヘッドバンド３によって支持されるものとするが、角度θ１が装着者の頭部Ｈの形状に応じて装着時と被装着時とで変化する構成であってもよい。
【００４２】
また、イヤカップ２Ａの回動軸Ａ１は、図６に示すように、前後方向からヘッドバンド３の延在方向に傾斜するとともに、後方側に向かうにしたがってヘッドバンド３から離れるように後下がりに延びる。頭部Ｈは、前方且つ上方から後方且つ下方に向かうにしたがって幅が狭くなる形状を有しており、回動軸Ａ１の傾斜角度θ２は、このような頭部Ｈの傾斜に沿った角度（例えば、５°以上２５°以下）に設定されており、音放射面Ｓ１のうち回動軸Ａ１に沿った部分は、側頭部への密着性が維持されるようになっている。
【００４３】
上記の構成により、一対のイヤカップ２Ａ、２Ｂの後方側の間隔Ｌ１が前方側の間隔Ｌ２よりも狭くなっていることで、音放射面Ｓ１を装着者の頭部の形状に合わせるようにヘッドホン１を装着することができる。このように音放射面Ｓ１を頭部の形状に合わせるためにイヤカップ２Ａ、２Ｂを傾斜させればよく、簡単な構成とすることができる。さらに、耳周辺の側頭部の形状は比較的個人差が小さいため、このようにイヤカップ２Ａ、２Ｂを傾斜させる構成によって個人差に対応することができ、密着性を向上させて遮音性を向上させることができる。
【００４４】
また、イヤカップの回動軸Ａ１が後下がりに傾斜していることで、密着性を維持しつつイヤカップ２Ａ、２Ｂを回動させることができる。イヤカップ２Ａ、２Ｂが回動可能に設けられることにより、頭部Ｈの形状や大きさの個人差に対応しやすくすることができる。
【００４５】
また、前頭部側枝部３２３が後頭部側枝部３２４の第２面部３２４Ｂよりも大きな曲率を有することで、前方側に加える圧力を相対的に高くすることができ、音放射面Ｓ１が傾斜することによって前頭部側枝部によって加える圧力が低下してしまうことを抑制し、イヤカップ２Ａ、２Ｂ全体の密着性を向上させることができる。このとき、第１面部３２４Ａがねじれを有していることで、第２面部３２４Ｂの曲率を小さくすることができる。
【００４６】
また、装着部３１に対してイヤカップ２Ａ、２Ｂが後方側に支持されることで、装着部３１を頭部Ｈの前後方向における中央部に合わせて装着した際に、頭部の中央部よりも後方に位置する耳にイヤカップ２Ａ、２Ｂを合わせやすくすることができる。
【００４７】
また、支持部材３２が板状の金属部材によって形成されていることで、曲げ加工によって、前頭部側枝部３２３や後頭部側枝部３２４のように湾曲やねじれを有した複雑な形状を容易に形成することができる。
【００４８】
なお、本発明は、前記実施例に限定されるものではなく、本発明の目的が達成できる他の構成等を含み、以下に示すような変形等も本発明に含まれる。
【００４９】
例えば、前記実施例では、音放射面Ｓ１の交差する角度θ１が１０°以上３０°以下となるものとしたが、この角度θ１は、後方側の間隔Ｌ１が前方側の間隔Ｌ２よりも狭くなるように、頭部Ｈの形状や大きさに合わせて適宜な値に設定されていればよい。
【００５０】
また、前記実施例では、イヤカップ２Ａ、２Ｂの回動軸Ａ１の傾斜角度θ２が５°以上２５°以下であるものとしたが、この傾斜角度θ２は頭部Ｈの形状や大きさに合わせて適宜な値に設定されていればよく、２５°よりも大きくてもよいし、５°より小さくてもよいし、傾斜していなくてもよい。また、例えば装着部本体３１１の弾性によってイヤカップ２Ａ、２Ｂを装着者の頭部に充分に密着させることができれば、イヤカップ２Ａ、２Ｂは回動不能に構成されていてもよい。
【００５１】
また、前記実施例では、左耳用のイヤカップ２Ａと右耳用のイヤカップ２Ｂとが、左右略対称な形状を有するとともに略同一の構成を有するものとしたが、左右非対称な形状を有していてもよいし、異なる構成を有していてもよい。
【００５２】
また、前記実施例では、後頭部側枝部３２４の先端部３２４ａが前頭部側枝部３２３の先端部３２３ａよりも装着者側に配されることによって音放射面Ｓ１が傾斜するものとしたが、イヤカップが後方側ほど厚くなるように形成されることで音放射面Ｓ１が傾斜する構成であってもよい。また、支持部材によるイヤカップの支持構造は、任意の形態であってよく、例えば、支持部材が１つの枝部を有するとともにイヤカップの一部がこの枝部を挟み込むように接続されてもよい。
【００５３】
また、前記実施例では、前頭部側枝部３２３が後頭部側枝部３２４の第２面部３２４Ｂよりも大きな曲率を有するとともに、第１面部３２４Ａがねじれを有するものとしたが、例えば２つの枝部３２３、３２４の厚さを適宜に設定することによって前方側と後方側とで側頭部に加える圧力が同程度とされていれば、２つの枝部の曲率は同程度とされていてもよいし、湾曲していなくてもよいし、第１面部がねじれを有していなくてもよい。
【００５４】
また、前記実施例では、装着部３１と支持部材３２とが金属部材によって別体で形成されるものとしたが、支持部材が複雑な形状を有していない場合には、例えば樹脂等の適宜な材質で構成されていればよく、装着部と支持部材とが一体に形成されていてもよい。
【００５５】
また、前記実施例では、装着部３１に対してイヤカップ２Ａ、２Ｂが後方側に支持されるものとしたが、装着部が耳の上方に位置するように装着されたり、装着部が上下方向に対して傾斜して装着されたりする構成であれば、装着部に対するイヤカップの前後方向位置は任意に設定されていればよい。
【００５６】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００５７】
１          ヘッドホン
２Ａ、２Ｂ  イヤカップ
３          ヘッドバンド
２１        クッション
２２        ハウジング
３１        装着部
３２        支持部材
３２２      分岐部
３２３      前方側枝部
３２３ａ    先端部
３２４      後方側枝部
３２４ａ    先端部
３２４Ａ    第１面部
３２４Ｂ    第２面部
Ｓ１        音放射面
【図１】
0006508906.tif 000002
【図２】
0006508906.tif 000003
【図３】
0006508906.tif 000004
【図４】
0006508906.tif 000005
【図５】
0006508906.tif 000006
【図６】
0006508906.tif 000007